【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  外部情報機器から受信した画像情報を画素情報変換手段により画像展開し、その画像展開した画像情報に基づいて記録材に形成したトナー像を、加熱ヒータを内蔵した薄肉の加熱部材と加圧部材とが互いに圧接して形成された定着ニップ部を通過させて、前記トナー像を記録材に加熱定着する画像形成装置において、
前記画素情報変換手段は、画像展開を終了する以前に、画像形成装置の制御部に対して前記加熱ヒータを立ち上げる信号を発信し、前記制御部は、前記信号に応じて前記加熱ヒータを立ち上げて、前記画素情報変換手段が画像展開を終了するまでは目標定着温度よりも低い温度で定着温度を待機させるように制御し、画像展開終了後に目標定着温度よりも低い温度から目標定着温度まで定着再加熱するように制御することを特徴とする画像形成装置。
【請求項２】  前記画素情報変換手段が画像展開を終了するまでは、前記加熱ヒータは目標定着温度よりも５０℃低い温度以下の温度で待機することを特徴とする請求項１の画像形成装置。
【請求項３】  前記加熱ヒータの温度を検知する温度検知手段を有し、前記加熱ヒータの温度検知手段が前記加熱ヒータを立ち上げる直前に検知した検知温度に応じて、前記加熱ヒータの待機温度を変化させることを特徴とする請求項２の画像形成装置。
【請求項４】  前記加圧部材の表面温度を検知する温度検知手段を有し、前記加圧部材の温度検知手段が前記加熱ヒータを立ち上げる直前に検知した検知温度に応じて、前記加熱ヒータの待機温度を変化させることを特徴とする請求項２の画像形成装置。
【請求項５】  外部情報機器から受信した画像情報を画素情報変換手段により画像展開し、その画像展開した画像情報に基づいて記録材に形成したトナー像を、加熱ヒータを内蔵した薄肉の加熱部材と加圧部材とが互いに圧接して形成された定着ニップ部を通過させて、前記トナー像を記録材に加熱定着する画像形成装置において、
前記画素情報変換手段は、画像展開を終了する以前に、画像形成装置の制御部に対して前記加熱ヒータを立ち上げる信号を発信し、前記制御部は、前記信号に応じて前記加熱ヒータを一旦目標定着温度になるように加熱した後、画像展開中の待機時間に応じて定着温度を目標定着温度から下げるように制御することを特徴とする画像形成装置。
【請求項６】  前記加熱部材が、前記定着ニップ部で前記加圧部材と圧接した移動可能なフィルムと、前記定着ニップ部で前記フィルムの内側に配置された前記フィルムに接触する加熱ヒータとを備えて構成されることを特徴とする請求項１〜５のいずれかの項に記載の画像形成装置。
【請求項７】  前記加圧部材が弾性ローラからなることを特徴とする請求項１〜６のいずれかの項に記載の画像形成装置。
【請求項８】  前記フィルムが円筒体に形成され、前記弾性ローラの回転により従動して回転することを特徴とする請求項７の画像形成装置。
【手続補正２】
【補正対象書類名】明細書
【補正対象項目名】００１９
【補正方法】変更
【補正の内容】
【００１９】
【課題を解決するための手段】
上記目的は本発明に係る画像形成装置にて達成される。要約すれば、本発明は、外部情報機器から受信した画像情報を画素情報変換手段により画像展開し、その画像展開した画像情報に基づいて記録材に形成したトナー像を、加熱ヒータを内蔵した薄肉の加熱部材と加圧部材とが互いに圧接して形成された定着ニップ部を通過させて、前記トナー像を記録材に加熱定着する画像形成装置において、
前記画素情報変換手段は、画像展開を終了する以前に、画像形成装置の制御部に対して前記加熱ヒータを立ち上げる信号を発信し、前記制御部は、前記信号に応じて前記加熱ヒータを立ち上げて、前記画素情報変換手段が画像展開を終了するまでは目標定着温度よりも低い温度で定着温度を待機させるように制御し、画像展開終了後に目標定着温度よりも低い温度から目標定着温度まで定着再加熱するように制御することを特徴とする画像形成装置である。
【手続補正３】
【補正対象書類名】明細書
【補正対象項目名】００２０
【補正方法】変更
【補正の内容】
【００２０】
本発明によれば、前記画素情報変換手段が画像展開を終了するまでは、前記加熱ヒータは目標定着温度よりも５０℃低い温度以下の温度で待機する。前記加熱ヒータの温度を検知する温度検知手段を有し、前記加熱ヒータの温度検知手段が前記加熱ヒータを立ち上げる直前に検知した検知温度に応じて、前記加熱ヒータの待機温度を変化させる。もしくは、前記加圧部材の表面温度を検知する温度検知手段を有し、前記加圧部材の温度検知手段が前記加熱ヒータを立ち上げる直前に検知した検知温度に応じて、前記加熱ヒータの待機温度を変化させる。前記加熱部材が、前記定着ニップ部で前記加圧部材と圧接した移動可能なフィルムと、前記定着ニップ部で前記フィルムの内側に配置された前記フィルムに接触する加熱ヒータとを備えて構成される。前記加圧部材が弾性ローラからなる。前記フィルムが円筒体に形成され、前記弾性ローラの回転により従動して回転する。
【手続補正４】
【補正対象書類名】明細書
【補正対象項目名】００２１
【補正方法】変更
【補正の内容】
【００２１】
また本発明は、外部情報機器から受信した画像情報を画素情報変換手段により画像展開し、その画像展開した画像情報に基づいて記録材に形成したトナー像を、加熱ヒータを内蔵した薄肉の加熱部材と加圧部材とが互いに圧接して形成された定着ニップ部を通過させて、前記トナー像を記録材に加熱定着する画像形成装置において、
前記画素情報変換手段は、画像展開を終了する以前に、画像形成装置の制御部に対して前記加熱ヒータを立ち上げる信号を発信し、前記制御部は、前記信号に応じて前記加熱ヒータを一旦目標定着温度になるように加熱した後、画像展開中の待機時間に応じて定着温度を目標定着温度から下げるように制御することを特徴とする画像形成装置である。
【手続補正５】
【補正対象書類名】明細書
【補正対象項目名】００８５
【補正方法】変更
【補正の内容】
【００８５】
【発明の効果】
以上説明したように、本出願の請求項１に記載の発明は、外部情報機器から受信した画像情報を画素情報変換手段により画像展開し、その画像展開した画像情報に基づいて記録材に形成したトナー像を、加熱ヒータを内蔵した薄肉の加熱部材と加圧部材とが互いに圧接して形成された定着ニップ部を通過させて、トナー像を記録材に加熱定着する画像形成装置において、画素情報変換手段は、画像展開を終了する以前に、画像形成装置の制御部に対して加熱ヒータを立ち上げる信号を発信し、制御部は、前記信号に応じて加熱ヒータを立ち上げて、画素情報変換手段が画像展開を終了するまでは目標定着温度よりも低い温度で定着温度を待機させるように制御し、画像展開終了後に目標定着温度よりも低い温度から目標定着温度まで定着再加熱するように制御することを特徴とする。したがって、画像展開を行っている間に、画像形成装置の定着装置が立ち上がるので、画像形成装置の画像形成動作が完了するまでの待ち時間を短縮することができる。また画像展開中に定着装置を低い温度で待機させるので、加圧部材の表面温度の過剰な昇温を防ぐことができる。
【手続補正６】
【補正対象書類名】明細書
【補正対象項目名】００８６
【補正方法】変更
【補正の内容】
【００８６】
本出願の請求項２に記載の発明は、画素情報変換手段が画像展開を終了するまでは、加熱ヒータは目標定着温度よりも５０℃低い温度以下の温度で待機することを特徴とする。したがって、高温オフセットや記録材と加圧部材のスリップ等の問題を防ぐことができる。
【手続補正７】
【補正対象書類名】明細書
【補正対象項目名】００８８
【補正方法】変更
【補正の内容】
【００８８】
本出願の請求項５に記載の発明は、画素情報変換手段は、画像展開を終了する以前に、画像形成装置の制御部に対して加熱ヒータを立ち上げる信号を発信し、制御部は、前記信号に応じて加熱ヒータを一旦目標定着温度になるように加熱した後、画像展開中の待機時間に応じて定着温度を目標定着温度から下げるように制御することを特徴とする。したがって、画像形成装置の画像形成動作完了までの待ち時間が短縮される他、画像展開中の待機時間に応じて定着温度を下げるので、加圧部材の表面温度の過剰な昇温を防ぐことができ、高温オフセットやスリップなどの問題も防ぐことができる。また待機時間に応じて徐々に定着温度を下げるので、立ち上げ直後の電力のオーバーシュートによる定着温度の上昇を待機中に緩和でき、温調温度のコントロールを容易に行うことができる。